(57)【要約】      （修正有）【課題】表現力が大きく増強され、宣伝画像として極めて強力なイメージを与える展示用の表示部材を提供する。【解決手段】予め静止画像１が形成されたシート乃至フィルム２に、投影機などの画像形成部材５により他の画像３を同一画面に形成する。【選択図】  図２
2008046579.tif 000002
【特許請求の範囲】
【請求項１】
予め静止画像が形成されたシート乃至フィルムに、他の画像が同一面に形成された展示用シート乃至フィルム
【請求項２】
上記他の画像が、動画像である請求項1に記載のシート乃至フィルム        
【請求項３】
上記展示用のシート乃至フィルムがスタンドを用いて設置されている、請求項1に記載のシート乃至フィルム
【発明の詳細な説明】
【技術分野】
【０００１】
本発明は展示用シート乃至フィルムに関し、更に詳しくは、大型のシート乃至フィルムであって、予めそのシート乃至フィルム上に静止画像が形成された展示用のものに、更にその同一面に他の画像特に動く画像が形成された大型シート乃至フィルムに関する。    
【背景技術】
【０００２】
従来、予めシートやフィルム就中大型のシートやフィルム上に、各種図案、文字、模様等の静止画像を形成せしめて、広告等の展示用品として良く使用されている。
【０００３】
特にのぼり、旗、横断幕等の大型の展示用シートやフィルムとして、その需要は大きい。
【０００４】
従来この種、大型シート乃至フィルムは、そのサイズの大きさの為に、特殊な広告として、極めて有効であり、その宣伝効果は顕著であることが広く認められている。しかし乍ら、この従来のシートやフィルムには、静止した画像が形成されているだけであった。
【０００５】
従って本発明者は、現在この種シートやフィルムに、予め形成された静止画像と相俟って更に宣伝効果を一段と高める為の他の画像を同一表面上に形成出来れば、静止画像と追加した画像就中動画像との協同作用により、より優れた宣伝効果が得られるかも知れないとの全く新しい着想に至った。
【発明の開示】
【発明が解決しようとする課題】
【０００６】
本発明が解決しようとする課題は、上記新しい着想に基ずきこれを実現しうる発明を新たに創作することであり、これを換言すれば、予め静止画像が形成されたシート乃至フィルム上に更に他の画像を同一表面上に形成したものを新たに開発することである。
【課題を解決するための手段】
【０００７】
この手段は、予め静止画像（１）が形成された大型シート乃至フィルム（２）に、他の画像（３）を同一表面に形成することである。
【０００８】
本発明は図１に示す如くその基本形態は、予め静止画像（１）が形成された大型シート乃至フィルム（２）の表面に、他の画像（静止でも動くでも良い）（３）を形成したものである。
【０００９】
本発明に於いて使用されるシート乃至フィルム（２）としては、所謂大型のものたとえば一辺が３００ｃｍ以上の４角形のものが代表例として例示出来るが、特にその大きさは制限される必要はない。通常のシートやフィルムでも勿論良いが、好ましくは大きいサイズのものが良い。
【００１０】
これ等シートやフィルムの材質としても各種のものが広く使用され、このシートやフィルム上に画像を形成出来るものであれば、その材質は制限されるものではない。その代表例を挙げると、各種合成又は天然樹脂、布帛（繊維、織物不織布）、紙等を例示できる。厚みも特に制限はなく、通常シートやフィルムとして扱われる程度の厚みが良く、たとえば０．１ から０．５ｍｍ程度のものを代表例として挙げることが出来る。また形状としても４角形だけではなく、３角形や５角形、その他広く多角形のものが使用出来、更には円形、楕円形、半円形、台形等の各種形状のものが使用出来る。
【００１１】
このシート乃至フィルム（２）上に予め形成される静止画像（１）としては各種模様、文字、図形、記号、又はこれ等の1種又は２種以上の結合、更には、これ等と色彩との結合を代表例として挙げることが出来る。この画像（１）は、予めシート乃至フィルム（２）の表面に静止画像として形成され、その形成手段の代表例は印刷であるが、特にこれに限定されない。その大きさや数としては、広告や宣伝等として有効な範囲内で適宜に決定されれば良い。
【００１２】
この静止画像が設けられたシート乃至フィルムの同一表面に、他の画像（３）を形成することを本発明では大きな特徴としている。この他の画像を形成する手段は特に制限されず、各種の手段が広い範囲で適用出来、その代表例として、静止画像が形成された表面の裏面から所定の画像を照射して形成する手段を挙げることが出来る。この際の他の画像（３）としては、静止画像でも良いが、特に動く画像が好ましい。例えば静止画像（１）が富士山であったと仮定すると、他の画像（３）は富士山の周辺を流れている雲であるように、静止画像（１）と動く画像と（３）が関連するものが好ましく、静止画像（１）と他の動く画像（３）との間に特別の関連性が生じるものが極めて好ましい。
【００１３】
この他の画像（３）の大きさや、数量、画像の種類は特に限定されず、広い範囲内で適宜使用されれば良い。
【００１４】
本発明のシート乃至フィルムは特に大型の場合には、これを適宜なスタンドによって設置固定することも出来る。
【発明の効果】
【００１５】
静止画像（１）を形成したシート乃至フィルムの同一表面に、更に他の画像を形成することにより、その表現力が大きく増強され、宣伝画像として極めて強力なイメージを与えるものとなる。しかも静止画像（１）と他の画像（３）との間に関連をもたせることにより、その画像について説得力が大きく向上し、極めて強力な宣伝物となる。特に他の画像（３）を動くものとすることにより静止画像との関連が飛躍的に向上し、その宣伝効果は計り知れない程増強される。
【発明を実施するための最良の形態】
【００１６】
以下に実施例を示す。
【実施例１】
【００１７】
大型バナー用スタンドを用いて図２に示す如く縦２．５ｍ、横２．５ｍの大型シートを所定の手順でセットした。このシートには、富士山の静止画像を予め形成した。尚図２中（１）は富士山の静止画像を示し、（２）は大型シートを示す。また（４）は裏カバーを示し、この裏カバー（４）とシート（２）との間に三角錐状の空間を設ける。尚（１０）はスタンドを示す。この空間の底部に、他の画像（３）を形成する為の画像形成部材（５）を設置する。この他の画像（３）を形成する為の部材（５）を図３に示す。図３中（６）は、画像（３）を投影する為の投影機であり、（７）は小型ミラー、（８）は中型ミラー、（９）は大型ミラーである。画像（３）は撮影機（６）よりミラー（７）に投影され、これがミラー（８）及び（９）により、順次反射されて、フィルム（２）の裏面に投影される。この状態でフィルム（２）の表面から見ると、フィルム（２）上に他の画像（３）が形成されていることとなる。  この例では、他の画像は雲が流れている動画となっている。
【図面の簡単な説明】
【００１８】
【図１】図１は本発明のシート乃至フィルムの一例の模擬的な概略説明図である。
【図２】図２は本発明のシート乃至フィルムの他の一例の概略説明図である。
【図３】図３は本発明のシート乃至フィルムを製作する際に使用する投影部材の一例の概略説明図である。
【符号の説明】
【００１９】
１・・・静止画像
２・・・大型シート乃至フィルム
３・・・他の画像
４・・・裏カバー
５・・・部材
６・・・投影機
７・・・小型ミラー
８・・・中型ミラー
９・・・大型ミラー
１０・・スタンド
【図１】
2008046579.tif 000003
【図２】
2008046579.tif 000004
【図３】
2008046579.tif 000005